(57)【要約】  本発明は、メモリの内容を変更するための、及び／又は医療器具（１）をプログラミングするための医療技術識別装置及び方法に関する。固定状態で取り付けられた情報キャリア（９）は、医療器具に接続された読み取り要素（１２）に特定の情報を非接触状態で伝達、交換、又は提供するように適合されている。医療技術識別装置は、特定のデータを、例えば注入式流体ポンプのような医療器具に転送する。従って、医療器具は、例えば運転モードを変更、調整、又はアップデートするように再プログラミング可能とされる。
2013519128.tif 000002
【特許請求の範囲】
【請求項１】
無菌製品及び／又は医療器具（１）に関する特定の情報を含んでいる情報キャリア（９）であって、前記無菌製品に固定状態で取り付けられるように適合されている前記情報キャリア（９）と、
前記医療器具（１）に接続されるように適合されている読み取り要素（１２）と、
前記読み取り要素（１２）に接続されている登録ユニット（１３）と、
前記登録ユニット（１３）に接続されている格納ユニット（１４）と、
前記登録ユニット（１３）に接続されている分析ユニット（１５）と、
を備えている医療技術識別装置において、
前記無菌製品が前記医療器具（１）に接続されている場合に、前記医療器具（１）のメモリの内容を変更するために前記無菌製品を識別することと前記特定の情報を転送することとを可能とするために、前記情報キャリア（９）及び前記読み取り要素（１２）を非接触状態で互いと位置合わせすることによって、前記情報キャリア（９）が、前記特定の情報を前記読み取り要素（１２）に非接触状態で伝達又は提供するように適合されていることを特徴とする医療技術識別装置。
【請求項２】
前記分析ユニット（１５）が、医療器具動作制御ユニットに接続されており、信号を前記医療器具動作制御ユニットに送信することを特徴とする請求項１に記載の医療技術識別装置。
【請求項３】
前記情報キャリア（９）が、ホルダ（８）の内部又は一方の側面に取り付けられており、
前記読み取り要素（１２）が、固定シート（７）の内部又は一方の側面に取り付けられており、
前記ホルダが前記固定シート（７）内に配置されている場合に、前記無菌製品が前記医療器具（１）に接続完了するまで、情報が、前記情報キャリア（９）と前記読み取り要素（１２）との間において転送されることを特徴とする請求項１又は２に記載の医療技術識別装置。
【請求項４】
前記情報キャリア（９）と前記読み取り要素（１２）とが、前記無菌製品が前記医療器具（１）に機能的に接続された場合に互いに対して固定されるように適合されていることを特徴とする請求項３に記載の医療技術識別装置。
【請求項５】
前記情報キャリア（９）と前記読み取り要素（１２）との間における情報の転送が、バーコード、ブルートゥース、無線、赤外線を含む光波、電磁気力、放射線、又は化学的伝達のうち１つ以上の手段を通じて実施されることを特徴とする請求項１〜４のいずれか一項に記載の医療技術識別装置。
【請求項６】
前記医療技術識別装置が、前記分析ユニット（１５）及び前記格納ユニット（１４）の両方からの情報を提示するように機能する、提示ユニット（１６）を含んでおり、
プログラミングユニットが、前記医療器具の運転モードをプログラミングするために、前記分析ユニット、前記格納ユニット（１４）、及び前記提示ユニットのうち一のユニットに接続されていることを特徴とする請求項１〜５のいずれか一項に記載の医療技術識別装置。
【請求項７】
前記情報キャリア（９）が、カセット（１７）と接続された状態で配置されていることを特徴とする請求項１〜６のいずれか一項に記載の医療技術識別装置。
【請求項８】
医療技術識別装置に接続された場合に医療器具をプログラミングするための方法において、
ａ）固定状態で取り付けられている情報キャリア（９）を備えている医療技術識別装置を準備するステップであって、前記情報キャリア（９）が、前記医療器具に接続されている読み取り要素（１２）に、前記医療器具に及び／又は医療器具に接続されている無菌製品に関連している特定の情報を伝送又は提供するように適合されており、前記読み取り要素（１２）が登録ユニット（１３）に接続されており、前記登録ユニット（１３）が格納ユニット（１４）及び分析ユニット（１５）の両方に接続されており、前記分析ユニット（１５）が信号を制御ユニットに伝送するように機能しており、前記読み取り要素（１２）が前記医療器具に関連する前記特定の情報を受信するか又は読み取るように適合されている、ステップと、
ｂ）情報を前記医療器具に転送するために、前記情報キャリア（９）及び前記読み取り要素（１２）を非接触状態で互いと位置合わせするステップと、
ｃ）前記医療技術識別装置から前記医療器具に転送された前記特定の情報に従って、前記医療器具の運転モードを変更、調整、又はアップデートするように、前記医療器具をプログラミングするステップと、
を備えていることを特徴とする方法。
【請求項９】
前記医療器具が、点検モード、実演モード、及び利用者操作モードから選択された運転モードにプログラミングされることを特徴とする請求項８に記載の方法。
【発明の詳細な説明】
【技術分野】
【０００１】
本発明における医療技術識別装置は、医療分野に関連し、特に、例えばホースの一部分が点滴式流体ポンプに接続されるべき場合に、無菌製品が共に接続されるべきであると共に正しい部品が接続されていることが最も重要とされる分野に関連する。また、医療技術識別装置は、当該正しい部品と例えばポンプとの間においてデータ及びソフトウェアを伝送するための、方法及び製品を含んでいる。
【背景技術】
【０００２】
特許文献１は、接続片を蠕動式ポンプに結合するための装置を開示している。当該特許文献の説明箇所から明らかなように、ホースの一方の端部が、さらなるホースの端部に接続するためのスリーブを備えている。接続スリーブは、ディスク状の傾斜したカラーを含んでおり、カラーは、支持装置内に配設されていると共にディスクに向かって面しているスロット内に受容されるように構成されている。傾斜したディスクを具備するスリーブは、ホースの端部を、蠕動式ポンプに対して相対的に正しい位置に固定するように機能する。さらに、傾斜したディスクによって、蠕動式ポンプによって発生される引張力が大きくなり、その結果として、スリーブがシートを押圧することによって自動的にロックするように作用する。
【０００３】
当該装置が有する一の問題は、ホースが、色分けしている場合でさえごちゃ混ぜになることである。さらに、反対に、ホース同士の間において意図しない混乱が生じることによって、指示がない状態で医療器具を誤って利用してしまう場合がある。
【０００４】
特許文献２は、例えば蠕動式ポンプのためのホースカセットのような、医療装置を備えていると共に、暗号化された識別情報が格納されている格納ユニットを含んでいる付属品ポートを備えている医療デバイスであって、指定された製造業者のみが暗号化された識別情報を解読するための専用キーを受け取ることができる医療デバイスを開示している。当該特許文献の目的は、技術的要件又は医療的要件に適合していない付属ピースの供給を停止すること、及び付属ピースの認可されていない再利用を人々にさせないことである。当該特許文献に記載された発明は、専用の暗号化技術の利用と、医療デバイスが情報デバイスに格納された情報によって有効化されることとに依存している。本発明では、医療技術識別装置の機能は、医療装置のディスプレイで助言を付与することによってのみ、正しい付属ピースを識別するために動作し、医療器具に関連する特定のデータが医療技術識別装置の機能から独立して転送可能となるように改善されている。従って、例えば医療器具の運転が、例えば製造業者、医療スタッフや技術スタッフからの要求に従って再プログラミング可能とされる。このことについては、以下においてさらに説明する。
【０００５】
この点において、医療器具に取り付けられた医療デバイスに含まれている情報に従って医療器具を制御することを開示する幾つかの特許及び特許出願が存在する。しかしながら、何れの場合にも、較正、及び医療器具自体の再プログラミング又は利用に関連する情報は存在しない。
【０００６】
特許文献３は、チューブセットを有するカセットが蠕動式ポンプに内蔵されたチューブセットのタイプを識別する基本データを収容しているＲＯＭを備えている。これは、チューブセットが以前に利用されているか否かを判断するために利用される。
【０００７】
特許文献４は、ビットをさらに開示している。チューブの長さ及び直径に関連するデータが、どのくらいの長さでポンプを運転させるべきかについて決定するために利用される。当該特許文献に開示される幾つかの実施態様では、データは、チューブ及び洗浄装置の始動を調節するために、及びモータ／ポンプヘッドの速度を調節するために利用される。
【０００８】
特許文献５は、医療器具のための利用制限及びパラメトリックデータを格納するようにプログラミング可能とされる。医療器具は、利用制限を超過した場合に使用不可能になる。また、パラメトリックデータは、医療器具に供給される電力を調節するために利用される。
【０００９】
特許文献６は、様々な異なる内視鏡を利用した外科的処置に適合している複数の異なるモードで運転可能な、洗浄／吸引ポンプ装置を開示している。ポンプシステムは、複数のチューブセットから選択された一のチューブセットを利用して動作する。チューブセットそれぞれが、特定の外科的処置に洗浄及び吸引を提供するように適合されており、チューブセットが設計された目的である処置のタイプを定義するように暗号化されている。チューブカセットに関連する暗号化によって、チューブカセットが利用された場合に、システムを運転させるであろうパラメータが、チューブセットが設計された目的であるパラメータである。
【００１０】
特許文献７は、カセットに固有の性能特性を識別するための独自の情報を含んでいる、外科的システム及びカセットを開示している。暗号化されたカセットの情報は、例えば吸引／洗浄のための圧力センサ、較正データ、蠕動式ポンプの流れに関するデータ、及び製造中にカセットの検査をしている際に取得された任意の他のデータのような特徴を含んでいる。カセット内に収納されている情報が外科的システムの運転に影響を与える場合があるが、それはポンプ又は医療器具のみならず、カセット自体にも当て嵌まる。
【００１１】
特許文献８及び特許文献９は、光学的／非光学的手段が、ポンプが特定のカセットのために必要とする正確な性能特性を決定するために利用されるという点において、類似するシステムを開示している。ポンプの検出器が、カセット本体に設けられている識別手段を検出する。従って、ポンプは、何れのカセットが据え付けられているのか自動的に決定することができ、カセットに適合するように特定のパラメータを調整することができる。
【００１２】
本出願の発明者が発明者である特許文献１０は、例えばホース部分のような無菌製品に関する情報を一の医療器具に提供することを目的とする医療技術識別装置に関連している。情報キャリアから得られた情報の性質に従って、制御ユニットは、ホース部分と医療器具との接続を承認するように動作するか、又は例えば蠕動式ポンプのような医療器具を継続的に機能させることを停止するように動作する。
【００１３】
引用された特許文献はいずれも、取り付けられた装置自体の機能から独立して医療装置の運転を再プログラミング及び制御することができる医療技術識別装置を開示していない。本発明の一の実施例では、医療技術識別装置は、医療技術識別装置自体に関する情報と医療器具に関する情報との両方を収容しており、情報は、医療器具の機能及び運転を調節するために常に利用される。
【先行技術文献】
【特許文献】
【００１４】
【特許文献１】米国特許第５１３１８２３号明細書
【特許文献２】米国特許第６６２６３５５号明細書
【特許文献３】米国特許第５８１０７７０号明細書
【特許文献４】国際公開第２００６／０３６６００号
【特許文献５】米国特許第５４００２６７号明細書
【特許文献６】米国特許第５４６０４９０号明細書
【特許文献７】欧州特許第１７８７６０６号明細書
【特許文献８】米国特許第５４３１６２７号明細書
【特許文献９】米国特許第６１０６４９８号明細書
【特許文献１０】米国特許第７６６１５８２号明細書
【発明の概要】
【発明が解決しようとする課題】
【００１５】
本発明における医療技術識別装置は、一片の医療器具に接続されている無菌製品と医療器具とのうち１つ以上に関する特定の情報を含んでいる。
【００１６】
一の実施例では、本発明は、一片の医療器具に接続された場合に、例えば使い捨て製品のための無菌製品を識別する方法であって、無菌製品が、固定状態で取り付けられている情報キャリアを含んでおり、情報キャリアが、特定の製品情報を医療器具に接続されている読み取り要素に非接触状態で伝達又は提供するように適合されている方法に関連する。
【００１７】
従って、本発明の第１の目的は、正しいカップリング要素が共に結合されていることを識別すること、誤った製品が医療器具に結合された場合に一片の医療器具が機能することを防止すること、及び製品の履歴を記録することである。このことは、例えば使い捨て製品が製造業者によって回収／停止される場合、又は無菌性に関する失効期限を過ぎてしまった場合に、使い捨て製品を医療器具に接続することを防止する。
【００１８】
本発明における医療技術識別装置は、プロセッサによって制御される格納ユニットと、例えばホースやカセットのような無菌製品から得られた情報に応答して医療器具を制御する制御ユニットとによって利用可能とされる。
【００１９】
ホース又はカセットに接続されている情報キャリアであって、例えば認証された利用、ロット番号、バッチ番号、ホースの寸法、弾性、及び製造業者のような関連情報によってプログラミングされている当該情報キャリアを介して識別が可能である。当該情報のすべてが、製造に関連して又は製造後に情報キャリア内でプログラミングされている。
【００２０】
本発明における他の目的は、情報キャリアをホース又はカセットに利用することによって、医療器具の運転に関連する技術的データが製造業者から販売された医療器具に確実に転送可能とされることである。従って、データ通信、テータ交換、及び情報転送が、医療器具のメモリの内容を変更することを目的とする。このデータには、特定の患者群に関連するデータ、外科的処置、最終的な利用者にとって好ましい運転設定等と共に、運転モード、較正因子、リース期限やサービス失効期限が含まれている。
【００２１】
本発明のさらなる目的は、取り付けられた装置自体の機能から独立して医療装置の運転を再プログラミング及び制御可能な、医療技術識別装置を提供することである。
【００２２】
従って、より良好に発明の詳細な説明を理解するために、及び先行技術に対する貢献がより良好に評価されるために、本発明の最も重要な特徴は、より広義に概説されている。本発明のさらなる特徴については、以下において説明する。
【００２３】
この点において、本発明の実施例のうち少なくとも１つの実施例を詳細に説明する前に、本発明が、以下に説明又は図示する構成の詳細及び構成部品の配置に限定されないことに留意すべきである。本発明は、他の実施例としても実現可能であり、様々な方法で実践及び実行することができ、特許請求の範囲に規定されている。また、本明細書で利用される表現方法及び述語が説明を目的とするものであり、限定的に解釈すべきでないことに留意すべきである。
【００２４】
本発明は、実施例の説明及び添付図面の参照によって、より詳細に説明されている。
【図面の簡単な説明】
【００２５】
【図１】本発明における医療技術識別装置の一の実施例である。
【図２ａ】本発明における図１に表わす第１の実施例の、図１の断面Ａ−Ａにおける断面図である。
【図２ｂ】本発明における図１に表わす第２の実施例の、断面Ａ−Ａにおける断面図である。
【図３ａ】本発明におけるホースを固定する際に実施される手作業の手順である。
【図３ｂ】本発明におけるホースを固定する際に実施される手作業の手順である。
【図３ｃ】本発明におけるホースを固定する際に実施される手作業の手順である。
【図４】図１における断面Ｂ−Ｂの断面図である。
【図５】図１における断面Ｃ−Ｃの断面図である。
【図６】本発明における往復式鋸の概略図である。
【図７】本発明におけるドリルの概略図である。
【図８】本発明におけるシェーバーの概略図である。
【図９】ホース及びカセットを備えている他の実施例を表わす。
【図１０ａ】ホース及びカセットを備えているさらなる他の実施例を表わす。
【図１０ｂ】ホース及びカセットを備えているさらなる他の実施例を表わす。
【発明を実施するための形態】
【００２６】
第１の実施例では、本発明における医療技術識別装置は、無菌製品が一片の衛生器具（medical equipment）に正しく接続されること、及び／又は正しい無菌製品が接続されること、例えばホース又はカセットが所定の用途に適合したタイプであることを確実にするために利用されると共に、無菌製品の利用回数、及び当該無菌製品の利用回数と共に衛生器具の点検、故障、又は交換のための信号を発信するために利用される。
【００２７】
本発明は、医療器具に接続された場合に、例えば使い捨て製品（products intended for one-time-use only）のような無菌製品を識別するための方法、及びそのための医療技術識別装置に関する。無菌製品は、情報キャリアを固定状態で備えており、情報キャリアは、非接触式で、特定の製品情報を医療器具に接続されている読み取り要素に伝達するように、又は読み取り要素に当該製品情報を付与するように適合されている。情報キャリアは、ホース又はカセットに取り付けられているパッシブな構成要素であり、ＲＦＩＤチップ、スマートカード、メモリーカード、又は他の半導体メモリの性質を有している。
【００２８】
従って、本発明の第１の実施例は、
無菌製品及び／又は医療器具（１）に関する特定の情報を含んでいると共に、無菌製品に固定状態で取り付けられるように適合されている情報キャリア（９）と、
医療器具（１）に接続されるように適合されている読み取り要素（１２）と、
読み取り要素（１２）に接続されている登録ユニット（１３）と、
登録ユニット（１３）に接続されている格納ユニット（１４）と、
登録ユニット（１３）に接続されている分析ユニット（１５）と、
を備えている医療技術識別装置において、
情報キャリア（９）及び読み取り要素（１２）を互いに対して非接触状態で位置合わせし、これにより医療器具（１）のメモリの内容を変更するために無菌製品の識別と特定の情報の伝送とを可能とすることによって、情報キャリア（９）が、無菌製品が医療器具（１）に接続されている場合に、特定の情報を読み取り要素（１２）に非接触式で伝送又は提供するように適合されていることを特徴とする、医療技術識別装置を提供する。
【００２９】
一の実施例では、分析ユニット１５は、医療器具動作制御ユニットに接続されており、医療器具動作制御ユニットに信号を送信する。
【００３０】
特に無菌製品は、カセット部分を備えているか否かに関わらず、弾性を有しているホース部分から構成されている。一の実施例では、情報キャリアはホルダ内に取り付けられており、読み取り要素は固定シート内に取り付けられている。情報キャリアと読み取り要素との間における情報交換は、ホース部分が医療器具に完全に接続されるまで実施されない。他の実施例では、情報キャリアと読み取り要素とは、ホース部分が医療器具に機能的に接続された場合に、互いに対して定位置に配置されるように適合されている。一の特定の実施例では、情報キャリアのホルダは上述の如く角度を形成している平坦な滑り面を含んでいるので、滑り面に対する法線がホース部分の対称軸線に対して平行に延在せず、且つ、滑り面が固定シートの対応するように方向付けられた滑り面と一致する。一の実施例では、滑り面同士が互いに押圧されるように作用する力によって、情報キャリアと読み取り要素とがＸ方向及びＹ方向において相互に位置合わせされるように、滑り面が両方とも方向付けられている。一の実施例では、２つの滑り面は、情報キャリアと読み取り要素とがＺ方向においても位置合わせされるように方向付けられている。
【００３１】
読み取り要素が登録ユニットに接続されており、登録ユニットが格納ユニット及び分析ユニットの両方に接続されている。分析ユニットが、医療器具に影響を及ぼすように適合されている医療器具動作制御ユニットに信号を送信する。また、当該装置は、分析ユニット及び格納ユニットの両方からの情報を表示するように機能する提示ユニットを含んでいる。また、当該装置は、分析ユニット、医療器具動作制御ユニット、又は格納ユニットに接続されているプログラミングユニットを含んでいる。
【００３２】
情報キャリアと読み取り要素との間における情報伝送は、バーコード、ブルートゥース（登録商標）、無線、例えば赤外線のような光波、電磁気力、放射線、又は当該技術分野では既に知られている化学的伝達のうち１つ以上の手段を通じて実施される。
【００３３】
医療器具が無菌製品を利用すると、このような利用を示すデータが、医療器具から情報キャリアに伝送される。従って、情報キャリアに関する情報が変更される。無菌装置が、その後に医療装置に取り付けられた場合には、当該情報が、医療器具の制御に影響を及ぼす。
【００３４】
他の実施例では、情報キャリアと読み取り要素とが、カセット部分が医療器具に機能的に接続された場合に、互いに対して定位置に配置されるように適合されている。情報キャリアのホルダは、カセット部分に一体化されており、医療器具の対応するように方向付けられた表面と一致する。
【００３５】
識別検査が、例えば使い捨ての医療物品のような無菌製品内に取り付けられている情報キャリアを利用することによって実施され、当該情報キャリアは、医療器具内に取り付けられている読み取り要素によって読み取られる固有の識別情報を含んでいる。当該固有の識別情報は、装置内に登録された後に、特に以下の手順に関連して利用可能とされる。
【００３６】
［手順１］
受信機は、医療装置に結合されている医療物品が承認されているか否かについて確認する。医療装置は、事故を防止するために、医療物品が承認されていることを確認することができなかった場合に停止するようにプログラミングされている場合がある。非承認の医療物品としては、以下の物品が挙げられる：
−例えばバッチ番号／ロット番号が製造業者によって引き剥がされている医療物品は止められる；
−無菌処理された日付があれば、医療物品は通過する；
−医療物品が再利用されようとしている。
医療物品は、限られた期間（例えば２４時間）内ではあるが、医療装置に数回接続可能とされる。
【００３７】
［手順２］
固有の識別情報は、例えばコンピュータのハードディスクにファイルドキュメントとして格納される。
その後に、この格納された固有の識別情報は、
−医療物品が医療装置に接続されている期間を示すように、及び
−医療装置の利用頻度、例えば所定の時間間隔の間に医療物品が接続される頻度を示すように検索可能とされる。
固有の識別情報は、医療装置が利用状態にある頻度を利用者に知らせるために、すなわち利用頻度を最適化するために利用可能とされる。また、固有の識別情報は、点検のために固有の識別情報を医療装置に送信することが適切になった場合に利用者に知らせるために利用可能とされる。
【００３８】
本発明の第２の目的を達成するために、上述のタイプの医療技術識別装置の代替的な医療技術識別装置が設計されている。当該実施例では、例えば製造業者がすべての販売済の医療器具の較正因子を変更することを希望する場合に、医療器具のメモリの内容を変更する技術的データが製造業者から流通した医療器具に転送される。使い捨て製品を連続的に生産する際に、“新しい較正因子（New calibration factor）”のためのデータ“キー（key）”と“キー”の新しい数値とが入力される。従って、小さなアップデートは、技術スタッフを呼ぶことなく実施可能とされる。このことは較正値と呼称されるが、当該較正値は、運転モードが同一であるので、利用者に即時に明らかとはならない。従って、小さなアップデートの結果として、性能が向上する。また、賃貸期間又はサービス期間が期限切れになったか否かを決定するために、日時のデータが入力される場合がある。
【００３９】
当該実施例は、基本的に、医療技術識別装置に接続された場合に医療器具をプログラミングするための方法であって、
ａ）固定状態で取り付けられている情報キャリア（９）であって、医療器具に接続されている読み取り要素（１２）に特定の情報を伝送又は提供するように適合されている情報キャリア（９）を備えている医療技術識別装置を準備するステップであって、特定の情報が、医療器具及び/又は医療器具に接続されている無菌製品に関連しており、読み取り装置（１２）が、登録ユニット（１３）に接続されており、登録ユニット（１３）が、格納ユニット（１４）及び分析ユニット（１５）の両方に接続されており、分析ユニット（１５）が、医療器具動作制御ユニットに信号を伝送するように機能しており、読み取り装置（１２）が、医療器具に関連する特定の情報を受信するか又は読み取るように適合されている、ステップと、
ｂ）特定の情報を医療器具に伝送するために、情報キャリア（９）及び読み取り要素（１２）を互いに対して非接触状態で位置合わせするステップと、
ｃ）医療技術識別装置から医療器具に伝送された特定の情報に基づいて、医療器具の運転モードを変更、調整、又はアップデートするように医療器具をプログラミングするステップと、
を備えている方法を提供する。
【００４０】
他の実施例では、医療技術識別装置が、運転モードに関するデータを受信可能とされ、医療器具が、以下の運転モードを実行するようにプログラミング可能とされる。
【００４１】
［点検モード］
医療技術識別装置は、特に、公認された修理技術者（service engineer）が医療器具（ポンプ）の点検、保守、及び較正を実施可能なように構成されている。医療技術識別装置は、ポンプを較正するための圧力ゲージのためのコネクタと、流速計（flow detector）のためのアダプタと、較正されたコンプライアンス値を有している“継手（joint）”と、システムの保守のための他の構成部品とを有している。システムを保守するためのカセットは、特に保守のためのカセットがポンプに取り付けられていることを示すために、ＲＦＩＤタグにデータを有している。
【００４２】
［実演モード（デモモード）］
医療技術識別装置には、非医療用途又は特殊用途が割り当てられている。特定の用途が、ＲＦＩＤタグ内にコーディングされており、特定の用途としては、例えば医療器具又はポンプが販売展示又は利用者の練習のための実演モードになっていることが挙げられる。ポンプのこのような運転モードは、実演を目的とする流量設定の自動的な変動を可能とする。医療技術識別装置は、図示のために模擬された継手を有するループとして接続されている。
【００４３】
これら２つの運転モードは、誤って入力された場合に患者に危険が及ぶであろうポンプの運転モードに関連している。このことは重大な安全性の問題であり、これら目的それぞれのために設計されている専用カセットの利用のみがこれら様々な運転モードを実現可能とすることによって、このような安全性の問題は解決される。
【００４４】
［利用者操作モード］
カセットは、少なくとも利用者特有の運転モードを可能とするＲＦＩＤタグにデータを伝送する（carry）。例えば、カセットは、特定の利用者にとって好ましいパラメータセットで運転するための指令をするように設計されている。外科医が、圧力値、流量値、血液及び壊死組織片（debris）の検出感度、並びにオン・オフの選択可能な機能的な特徴を選択する際に、特定の設定に関する優先順位を有している場合には、これらは、順序付けられたカセットを利用することによって自動的に設定される。さらに、このような運転パラメータの設定は、特定の外科的処置のために認められた設定とされる場合がある。
【００４５】
ポンプのプログラムメモリは、データがＲＦＩＤタグに備えられたデータと共に転送されることによってアップデート可能とされる。この点において、ポンプのメモリの内容が変更可能とされ、ポンプは、例えば関節鏡検査システム（arthroscopy system）から泌尿器システム（urology system）に運転モード及びパラメータを変更可能とされる。このことは、ポンプが、ポンプの運転パラメータ、メニュー選択、利用者が設定可能な限界値、並びに血液及び壊死組織片を光学的に検出するための感度等の大部分を変更可能であることを意味する。この機能は、一般にポンプの小さなソフトウェアアップデートである。この点において、ＲＦＩＤタグに備えられたデータ量が、システムのプログラムメモリと比較して非常に小さいことに留意すべきである。
【００４６】
また、患者群及び外科的処置に関する特定のデータが医療技術識別装置に入力可能とされる。このことには、例えば光共振器のための特定の較正値と、圧力の較正データ値とが含まれている。ＲＦＩＤタグに関するデータは、ＡＣＬ（前十字靭帯）手術、小関節の外科的処置、又は泌尿器手術のＴＵＲ（経尿道的電気切除術）のための設定値を有している。また、無菌製品のための流量の較正値は、製造ラインの試験場において入力可能な値であり、重要な値である。
【００４７】
ＲＦＩＤ技術は、暗号化するためのプロセッサを有しないパッシブタグを含んでいる。このパッシブタグは電磁場によって給電される。アクティブなＲＦＩＤタグは、自身の電源を有しており、暗号化を解析する機能又は類似する機能を有していない。しかしながら、アクティブタグ及びパッシブタグの両方が、暗号化されたシリアル番号を保有しており、医療器具の利用によって変更可能でない情報、又は医療器具の利用によって部分的に変更可能な情報を格納することができる。
【００４８】
情報キャリアに格納されているデータのタイプは、ホース又はカセットの製造中に又は製造後にプログラミングされる。読み取り要素は、標準的なソフトウェアによって制御される。本出願の図１〜図８は本発明の概略図である。しかしながら、当該実施例（current invention）は、例えばホース又はカセットの情報キャリアを利用することによって、医療器具の操作に関連する技術的データを製造業者から流通した医療器具に確実に転送可能とする、本発明の目的を改善する。この技術的データとしては、運転モードと、較正因子と、賃貸満了日又は点検期限と、特定の患者群、外科的処置、利用者にとって好ましい最終的な運転設定等とが挙げられる。
【００４９】
図１は、本発明におけるポンプとホースとを接続する接続装置を含んでいる、注入ポンプ１の概略図である。また、注入ポンプ１は、羽根車２を含んでおり、羽根車２は、注入ポンプ１内に配置されている拘束具５に対してホース４を押圧するように構成されている、２つの鎮圧輪３を含んでいる。ホース部分４は、以下の手順で注入ポンプ１に装着される。拘束具５が取り付けシャフト６を中心として隆起しているので、羽根車２が曲げ手段として機能し、ホース部分４が羽根車２の周囲に配設される。これにより、ホース部分４の一端は、従来技術に基づく方法で医療器具（注入ポンプ１）に固定される。その後に、ホース部分４が羽根車２の周囲において張設され、固定シート７の下方の位置に向かって弾性的に伸展され、当該位置に固定される。固定シート７は、注入ポンプ１に固定状態で接続されている。ホルダ８は、固定シート７の近傍においてホース部分４に固定状態で接続されており、情報キャリア９を備えている。図示の実施例では、ホルダ８は、位置合わせ用ブロックの形態をしており、固定シート７の対応する傾斜した表面に一致する傾斜した上面１０を含んでいる。ホルダ８は、図示の如く、ホルダ８の情報キャリア９が固定シート７内に配設されている読み取り要素１２の反対側に配置されている状態で、固定シート７内に取り付けられている。図示の如く、読み取り要素１２は、登録ユニット１３に接続されており、登録ユニット１３は、格納ユニット１４に接続されていると共に、分析ユニット１５に接続されている。また、格納ユニット１４が、分析ユニット１５に直接接続されている。提示ユニット１６は、分析ユニット１５及び格納ユニット１４の両方に直接接続されている。例えば特許文献１０に開示される制御ユニット（図示しない）が、情報キャリア９から伝達され且つ分析ユニット１５で検査された情報の性質に従って、ホース部分４の医療器具に対する接続を承認するように、又は注入ポンプ１の連続的な動作を停止するように動作する。さらに、プログラミングユニット（図示しない）が、分析ユニット１５、格納ユニット１４、又は制御ユニットに接続可能とされる。例えば、プログラミングユニットは、医療器具（例えばポンプ）の運転モードを変更するために、医療器具を再プログラミングする必要がある場合に、及び、医療装置のメモリの内容を変更するために、新しい較正データ、運転データ、又は類似するデータの収集を承認する必要がある場合に利用される。制御ユニットは、無菌製品（例えばホースやカセット）から得られた情報及び／又はプログラミングユニットから得られた情報に応答して、医療器具を制御する。
【００５０】
図２ａ及び図２ｂは、図１の断面Ａ−Ａにおける断面図である。図２ａは第１の実施例を表わし、図２ｂは第２の実施例を表わす。図２ａに表わす実施例は、上縁面２１ａが固定シート７の対応する縁面に当接していることによって固定シート７内に機能的に取り付けられている、ホルダ８を含んでいる。この場合には、上縁面２１ａが水平に配置されており、すなわちホース部分４の対称軸線に対して直角に配置されており、これにより、ホース部分４に対して図面において上方に作用する引張力が、図２ａに表わす座標系に基づくＸ軸線及びＹ軸線それぞれの方向においてホルダ８を位置合わせする。Ｘ方向及びＹ方向それぞれにおいてホルダ８を位置合わせすることによって、結果として、ホルダ８内の情報キャリア９が、相互に垂直な２つの方向において読み取り要素１２に対して位置合わせされる。
【００５１】
図２ｂは、固定シート７１内に装着されているホルダ８１の第２の実施例を表わす。当該実施例では、ホルダ８１の上縁面２１ｂは、固定シート７１の内側に傾斜しているので、引張力がホース部分４に対して図面において上方に作用することによって、結果として、ホルダ８１も、図２ａに表わす座標軸に基づくＺ方向において位置合わせされる。従って、当該実施例では、相互に垂直なＸ方向、Ｙ方向、及びＺ方向のすべての方向において、情報キャリア９を位置合わせすることができる。
【００５２】
図３ａ〜図３ｃは、ホース部分４に取り付けられているホルダ８を固定シート７内に装着する場合の手順を表わす。ホース部分４の医療器具側の固定端を注入ポンプ１内に固定した後に、ホース部分４が羽根車２を覆うように引っ張られることによって、拘束具５が図１に表わす位置で嵌められロックされる。その後に、ホース部分４が、図３に表わすように引き伸ばされることによって、ホルダ８は、図３ａに表わす矢印に従って固定シート７の内部に嵌め込まれる。
【００５３】
図３ｂは、ホース部分４が固定シート７に向かって近づいていく様子を表わす。図示の如く、ホルダ８及び固定シート７の滑り面１０，１１それぞれは、情報キャリア９及び読み取り要素１２が互いに対して位置合わせされるように互いに対して傾斜している。
【００５４】
図３ｃは、最終的に組み立てられた状態の装置を表わす。しかしながら、滑り面１０と滑り面１１とが、及び、情報キャリア９と読み取り要素１２とが明確に区別することができるように、ホルダ８の周囲には、小さな間隙を残している。また、図３ｃは、図２ａに表わす直交座標系を表わす。
【００５５】
図４は、図１の断面Ｂ−Ｂにおける医療技術識別装置の断面図である。言うまでもなく、ホース部分４はホルダ８内に堅固に固定されており、情報キャリア９はホルダ８内部に挿入されている。言うまでもなく、ホルダ８が固定シート７内に装着されており、情報キャリア９が読み取り要素１２の反対側に位置しており、読み取り要素１２も固定シート７内に挿入されている。
【００５６】
図５は、図１の断面Ｃ−Ｃにおける断面図である。図５から明らかなように、ホース部分４の端部が、固定シート７の一方の側部に形成されている開放スロット５１を通じて固定シート７内に挿入されている。
【００５７】
図６は、無菌製品を識別するための他の医療用途を表わす。この他の医療用途は、情報キャリア６３を備えている無菌鋸刃６２が接続されている、整形外科用往復式鋸６０の利用に関連する。情報キャリア６３は、鋸刃６２が装着された場合に読み取り要素６４に対向して配置されており、情報キャリア６３及び読み取り要素６４が上述の態様に相当する態様で協働するように適合されている。
【００５８】
図７は、本発明のさらなる利用を表わす。本出願は、情報キャリア７３を具備している無菌ドリルビット７２が装着されている、整形外科用ドリルのハンドグリップ７０に関する。上述の場合のように、情報キャリア７３も、ハンドグリップ７０に接続されている読み取り要素７４に特定の製品情報を伝達又は提供するように適合されている。
【００５９】
図８はさらなる実施例を表わす。当該実施例では、シェーバーハンドグリップ８０がシェーバーブレード８２に装着されている。シェーバーハンドグリップ８０は、上述の実施例と同様に、シェーバーブレード８２が装着された場合に読み取り要素８４に対向して配置される情報キャリア８３を含んでいる。
【００６０】
図９は他の実施例を表わす。当該実施例は、図１に表わす実施例に非常に類似している。しかしながら、この場合には、ホース部分４が、カセット部分１７に固定状態で接続されており、カセット部分１７が、読み取り要素１２に対向して医療器具に配置されている情報キャリア９を備えている。
【００６１】
図１０ａ及び図１０ｂは、さらなる他の実施例の医療技術識別装置の断面図を表わす。当該実施例では、カセット部分１７がホルダ８に堅固に固定されている。情報キャリア９がホルダ内に載置されている。また、これら図面から理解されるように、ホルダが固定シート７内に取り付けられており、情報キャリア９が読み取り要素１２に対向しており、読み取り要素１２が固定シート７内に堅固に固定されている。
【００６２】
図１０ａ及び図１０ｂは、堅固に固定されたカセット部分１７を備えているホルダ８が、固定シート７内に装着又は取り付けられている場合に実施される手順を表わす。表面２１ｃは、固定シート７の対応する縁面と当接している。図１０ａは、ホルダ８が最初に固定シート７に向かって移動する様子を表わし、図１０ｂは、ホルダ８が次に固定シート７に載置される様子を表わす。
【００６３】
これら図面に表わすように、ホルダ８内に載置された情報キャリア９と固定シート７内に載置された読み取り要素１２とを互いに非接触状態で位置合わせすることによって、無菌製品を識別可能とするために、及び、動作を再プログラミングするために情報を医療器具に伝達可能とするために、単一の取付ステップのみが必要とされる。
【００６４】
以下の説明は、製品としてのホース及び／又はカセットに、並びに医療器具としての注入ポンプに限定したものであるが、本発明は、特に無菌に関する高度の安全要求が求められる医療技術分野における他の製品及び他の器具部品にも適合している。
【００６５】
さらに、医療技術分野における他の実施例であっても本発明の技術的範囲に属することは言うまでもない。データを情報装置から医療器具に転送することによって、例えば医療器具の再プログラミングが、医療器具が異なる患者群及び外科的処置によって又は予め選択された基準に従って異なるモードで動作可能となるように可能となる。
【符号の説明】
【００６６】
１    注入ポンプ（医療器具）
２    羽根車
４    ホース（ホース部分）
５    拘束具
６    取付シャフト
７    固定シート
８    ホルダ
９    情報キャリア
１０    滑り面（傾斜した上面）
１１    滑り面
１２    読み取りユニット
１３    登録ユニット
１４    格納ユニット
１５    分析ユニット
１６    提示ユニット
１７    カセット部分
２１ａ  （ホルダ８の）上縁面
２１ｂ  （ホルダ８１の）上縁面
２１ｃ  表面
５１    開放スロット
６２    無菌鋸刃
６３    情報キャリア
６４    読み取り要素
７０    ハンドグリップ
７１    固定シート
７２    無菌ドリルビット
７３    情報キャリア
７４    読み取り要素
８０    シェーバーハンドグリップ
８１    ホルダ
８２    シェーバーブレード
８３    情報キャリア
８４    読み取り要素
【図１】
2013519128.tif 000003
【図２ａ】
2013519128.tif 000004
【図２ｂ】
2013519128.tif 000005
【図３ａ】
2013519128.tif 000006
【図３ｂ】
2013519128.tif 000007
【図３ｃ】
2013519128.tif 000008
【図４】
2013519128.tif 000009
【図５】
2013519128.tif 000010
【図６】
2013519128.tif 000011
【図７】
2013519128.tif 000012
【図８】
2013519128.tif 000013
【図９】
2013519128.tif 000014
【図１０ａ】
2013519128.tif 000015
【図１０ｂ】
2013519128.tif 000016
【手続補正書】
【提出日】平成24年9月21日(2012.9.21)
【手続補正１】
【補正対象書類名】特許請求の範囲
【補正対象項目名】全文
【補正方法】変更
【補正の内容】
【特許請求の範囲】
【請求項１】
特定の情報を含んでいる情報キャリア（９）であって、無菌製品に固定状態で取り付けられるように適合されている前記情報キャリア（９）と、
医療器具（１）に接続されるように適合されている読み取り要素（１２）と、
前記読み取り要素（１２）に接続されている登録ユニット（１３）と、
前記登録ユニット（１３）に接続されている格納ユニット（１４）と、
前記登録ユニット（１３）に接続されている分析ユニット（１５）と、
を備えている医療技術識別装置において、
前記無菌製品が前記医療器具（１）に接続されている場合に、前記無菌製品を識別することと前記特定の情報を転送することとを可能とするために、前記情報キャリア（９）及び前記読み取り要素（１２）を非接触状態で互いと位置合わせすることによって、前記情報キャリア（９）が、前記特定の情報を前記読み取り要素（１２）に非接触状態で伝達又は提供するように適合されており、
前記特定の情報が、前記医療機器に関する情報又は前記無菌製品（４）及び前記医療器具（１）に関する情報であり、前記特定の情報を転送することによって、前記医療器具（１）のメモリの内容を変更することができることを特徴とする医療技術識別装置。
【請求項２】
前記分析ユニット（１５）が、医療器具動作制御ユニットに接続されており、信号を前記医療器具動作制御ユニットに送信することを特徴とする請求項１に記載の医療技術識別装置。
【請求項３】
前記情報キャリア（９）が、ホルダ（８）の内部又は一方の側面に取り付けられており、
前記読み取り要素（１２）が、固定シート（７）の内部又は一方の側面に取り付けられており、
前記ホルダが前記固定シート（７）内に配置されている場合に、前記無菌製品が前記医療器具（１）に接続完了するまで、情報が、前記情報キャリア（９）と前記読み取り要素（１２）との間において転送されることを特徴とする請求項１又は２に記載の医療技術識別装置。
【請求項４】
前記情報キャリア（９）と前記読み取り要素（１２）とが、前記無菌製品が前記医療器具（１）に機能的に接続された場合に互いに対して固定されるように適合されていることを特徴とする請求項３に記載の医療技術識別装置。
【請求項５】
前記情報キャリア（９）と前記読み取り要素（１２）との間における情報の転送が、バーコード、ブルートゥース、無線、赤外線を含む光波、電磁気力、放射線、又は化学的伝達のうち１つ以上の手段を通じて実施されることを特徴とする請求項１〜４のいずれか一項に記載の医療技術識別装置。
【請求項６】
前記医療技術識別装置が、前記分析ユニット（１５）及び前記格納ユニット（１４）の両方からの情報を提示するように機能する、提示ユニット（１６）を含んでおり、
プログラミングユニットが、前記医療器具の運転モードをプログラミングするために、前記分析ユニット、前記格納ユニット（１４）、及び前記提示ユニットのうち一のユニットに接続されていることを特徴とする請求項１〜５のいずれか一項に記載の医療技術識別装置。
【請求項７】
前記情報キャリア（９）が、カセット（１７）と接続された状態で配置されていることを特徴とする請求項１〜６のいずれか一項に記載の医療技術識別装置。
【請求項８】
医療技術識別装置に接続された場合に医療器具をプログラミングするための方法において、
ａ）固定状態で取り付けられている情報キャリア（９）を備えている医療技術識別装置を準備するステップであって、前記情報キャリア（９）が、前記医療器具に接続されている読み取り要素（１２）に、前記医療器具に又は前記医療器具及び無菌製品に接続されている無菌製品に関連している特定の情報を伝送又は提供するように適合されており、前記読み取り要素（１２）が登録ユニット（１３）に接続されており、前記登録ユニット（１３）が格納ユニット（１４）及び分析ユニット（１５）の両方に接続されており、前記分析ユニット（１５）が信号を制御ユニットに伝送するように機能しており、前記読み取り要素（１２）が前記医療器具に関連する前記特定の情報を受信するか又は読み取るように適合されている、ステップと、
ｂ）情報を前記医療器具に転送するために、前記情報キャリア（９）及び前記読み取り要素（１２）を非接触状態で互いと位置合わせするステップと、
ｃ）前記医療技術識別装置から前記医療器具に転送された前記特定の情報に従って、前記医療器具の運転モードを変更、調整、又はアップデートするように、前記医療器具を再プログラミングするステップと、
を備えていることを特徴とする方法。
【請求項９】
前記医療器具が、点検モード、実演モード、及び利用者操作モードから選択された運転モードにプログラミングされることを特徴とする請求項８に記載の方法。
【国際調査報告】
2013519128.tif 000017
2013519128.tif 000018
2013519128.tif 000019